(57)【要約】【課題】液晶テレビなどの薄型表示装置の前面キャビネットに前面化粧パネルを取り付ける際に、両面粘着テープやプレス冶具などを用いた煩雑な作業を回避するとともに、サービス時やリサイクルのための分解・解体も容易に行うことができる薄型表示装置を提供する。【解決手段】前面キャビネットに前面化粧パネルを装着した薄型表示装置であって、前面キャビネットは凹レールを有し、前面化粧パネルは、前記凹レールにすべり込み噛み合う凸レールを有し、前面キャビネットと前面化粧パネルとは前記凸レールと前記凹レールとの噛み合いで位置決めされる薄型表示装置を提供する。【選択図】図９
2008300975.tif 000002
【特許請求の範囲】
【請求項１】
前面キャビネットに前面化粧パネルを装着した薄型表示装置であって、
前面キャビネットは凹レールを有し、
前面化粧パネルは、前記凹レールにすべり込み噛み合う凸レールを有し、
前面キャビネットと前面化粧パネルとは前記凸レールと前記凹レールとの噛み合いで位置決めされる薄型表示装置。
【請求項２】
前面化粧パネルが有する凸レールは、対向する少なくとも一対の枠部材に備えられるとともに、この一対の枠部材は、前記凹レールとの噛み合わせ開始のために前記凸レールを備える枠部材に隣接する他の枠部材の少なくとも一方を退避させるための柔軟性を有する請求項１に記載の薄型表示装置。
【請求項３】
前面キャビネットと前面化粧パネルとは、前記噛み合わせにより位置決め終了後に前記柔軟性を有する部材を復帰させることで両者を固定するように構成されている請求項１又は２に記載の薄型表示装置。
【請求項４】
前記凸レールに代えて凹レールに、前記凹レールに代えて凸レールとした請求項１から３のいずれか一に記載の薄型表示装置。
【発明の詳細な説明】
【技術分野】
【０００１】
本発明は、前面キャビネットに前面化粧パネルを装着した薄型表示装置に関する。
【背景技術】
【０００２】
液晶テレビをはじめとする薄型大画面高画質テレビの普及などに伴い、高級感のあるテレビへのデザイン変更の要望などもあって、近年、前面キャビネットに光沢性のある前面化粧パネルを取り付けたモデルのテレビが普及しつつある。
【０００３】
ところで、この前面化粧パネルの前面キャビネットへの取り付けは、従来一般に、両面粘着テープを使用して貼り付けるという方法によっていた（例えば、特許文献１参照）。これは、一般の光沢のない前面パネルを取り付ける場合に一般的に用いられてきた方法である前面キャビネットにネジ用ボスなどを設けてネジで前面パネルを前面キャビネットに固定するという方法を前面化粧パネルの取り付けにも用いた場合には、一般の光沢のない前面パネルの場合と異なり、光沢性のある前面パネルの表面の凹みなどが目立ってしまうため、このような方法を用いることができないためである。
【特許文献１】特開２００３‐００５２７６号公報
【発明の開示】
【発明が解決しようとする課題】
【０００４】
一方、最近のテレビにあっては、薄型化に加え、画面の大型化が進んでいる。このため、キャビネットのサイズも大きくなってきており、これに伴い、前面パネルのサイズも大きくなってきている。そこで、前面化粧パネルを前面キャビネットに両面粘着テープで貼り付ける場合には、両面テープの貼り付け面積や厚みが増し、剥れの防止のためにプレス冶具などを用いたプレス加工によって前面化粧パネルを前面キャビネットに密着させる必要が生じている。
【０００５】
しかし、このようにプレス冶具などを用いて取り付け作業を行うのでは、作業が煩雑であり、コストも嵩む。また、サービス時やリサイクル時には前面化粧パネルと前面キャビネットとを分離させる必要があるが、このようにプレス加工を行って取り付けた場合には、剥すのにも手間がかかるとともに光沢性のある前面化粧パネルの表面が傷付き易くなる。
【０００６】
そこで、本発明の解決すべき課題は、液晶テレビなどの薄型表示装置の前面キャビネットに前面化粧パネルを取り付ける際に、両面粘着テープやプレス冶具などを用いた煩雑な作業を回避するとともに、サービス時やリサイクルのための分解・解体も容易に行うことができる薄型表示装置を提供することにある。
【課題を解決するための手段】
【０００７】
以上の課題を解決するため、第一の発明は、前面キャビネットに前面化粧パネルを装着した薄型表示装置であって、前面キャビネットは凹レールを有し、前面化粧パネルは、前記凹レールにすべり込み噛み合う凸レールを有し、前面キャビネットと前面化粧パネルとは前記凸レールと前記凹レールとの噛み合いで位置決めされる薄型表示装置を提供する。
また、第二の発明は、第一の発明を基礎として、前面化粧パネルが有する凸レールは、対向する少なくとも一対の枠部材に備えられるとともに、この一対の枠部材は、前記凹レールとの噛み合わせ開始のために前記凸レールを備える枠部材に隣接する他の枠部材の少なくとも一方を退避させるための柔軟性を有する薄型表示装置を提供する。
また、第三の発明は、第一又は第二の発明を基礎として、前面キャビネットと前面化粧パネルとは、前記噛み合わせにより位置決め終了後に前記柔軟性を有する部材を復帰させることで両者を固定するように構成されている薄型表示装置を提供する。
また、第四の発明は、第一から第三のいずれか一の発明を基礎として、前記凸レールに代えて凹レールに、前記凹レールに代えて凸レールとした薄型表示装置を提供する。
【発明の効果】
【０００８】
本発明により、液晶テレビなどの薄型表示装置の前面キャビネットに前面化粧パネルを取り付ける際に、両面粘着テープやプレス冶具などを用いた煩雑な作業を回避するとともに、サービス時やリサイクルのための分解・解体も容易に行うことができる薄型表示装置を提供することが可能となる。
【発明を実施するための最良の形態】
【０００９】
以下に、本発明の実施例を説明する。実施例１は、請求項１から請求項４までに関する。なお、本発明はこの実施例に何ら限定されるものではなく、その要旨を逸脱しない範囲において、種々なる態様で実施しうる。
【実施例１】
【００１０】
<概要>
本実施例の薄型表示装置は、前面キャビネットに前面化粧パネルを装着した薄型表示装置であって、前面キャビネットは凹レールを有し、前面化粧パネルは、前記凹レールにすべり込み噛み合う凸レールを有し、前面キャビネットと前面化粧パネルとは前記凸レールと前記凹レールとの噛み合いで位置決めされることを特徴とする薄型表示装置である。
【００１１】
<構成>
（薄型表示装置）
図１は、本実施例の薄型表示装置の外観の一例を示す。本図の薄型表示装置０１００は液晶テレビの例である。ただし、煩雑さを避けるため内部機構の図示は省略した（このため、開口部を通してキャビネット背面内側の基板等が見えた状態で描かれている）。本図に示すように、薄型表示装置のキャビネット０１３０の前面に前面キャビネット０１１０が取り付けられており、さらに前面キャビネットの前面に前面化粧パネル０１２０が取り付けられている。なお、後述するように、前面キャビネットは凹レールを有し、前面化粧パネルは、前記凹レールにすべり込み噛み合う凸レールを有するところ、本図は前面キャビネット、前面化粧パネルの全体的な外観、位置関係を示すためのものであるので、これらのレールの図示は省略した。
【００１２】
また、図２は、図１に示したのと同様の前面化粧パネル０２２０、前面キャビネット０２１０を薄型表示装置の本体部分０２３０から分離した状態の外観の一例を示す（本図でもレールの図示は省略した）。
【００１３】
本発明の「薄型表示装置」には、画像を表示するための表示部（ディスプレイ）を有する薄型の装置が広く含まれる。具体的には、液晶テレビ、プラズマテレビなどの薄型テレビや画像出力装置用のモニター装置、パソコンなどが該当する。特に、装置の外観の美観を良くしたり、高級感を持たせたりするニーズの大きい大画面高画質のテレビが本発明の効果を奏する対象として最も典型的に想定される例である。
【００１４】
（前面キャビネット：全般）
「前面キャビネット」は薄型表示装置の内部機構を収納、保護するためのキャビネットのうち、前面側を構成する部分である。また、薄型表示装置の表示部（図１、図２では図示を省略）を露出させるために、図２に示すように開口部０２１１を有する略枠形状のものである。図２では、この前面キャビネットがキャビネット本体とは別部品として構成されている例を示したが、前面キャビネットはキャビネット本体と一体に成形されたものであってもよい。前面キャビネットの材料は特に限定されないが、薄型表示装置が液晶テレビなどのテレビジョン装置の場合には、ＡＢＳ（Ａｃｒｙｌｏｎｉｔｒｉｌｅ，Ｂｕｔａｄｉｅｎｅ，Ｓｔｙｒｅｎｅ）樹脂が好適な一例である。
【００１５】
（前面化粧パネル：全般）
「前面化粧パネル」は、薄型表示装置の外観の美観を良くしたり、高級感を持たせたりするために前面キャビネットのさらに前面側に取り付けられるものである。また、やはり薄型表示装置の表示部を露出させるために、図２に示すように開口部０２２１を有する略枠形状のものである。前面化粧パネルの材料は、上記の目的から光沢性のあるものが用いられるが、この条件を満たすものであれば特に限定はされない。薄型表示装置が液晶テレビなどのテレビジョン装置の場合の好適な一例は、アクリル樹脂である。
【００１６】
（前面化粧パネル：具体的構成）
次に、前面キャビネット、前面化粧パネルの具体的構成の一例について説明する。説明の便宜上、まず前面化粧パネルの具体的構成について説明する。
【００１７】
図３は、前面化粧パネルの具体的構成の一例を示す。本図の前面化粧パネルは図１、図２に示したものと同様のものを想定したが、図１、図２では省略した凸レールを本図では図示した。なお、説明の便宜上、本図の前面化粧パネルは模式的な形状で示した。これは後出の図４以降における前面化粧パネル、前面キャビネットについても同様であり、このため、図面間の形状等が必ずしも完全には一致していないが、これは本発明の構成を説明する上で図面間の形状等を厳密に一致させることは必要ないためである。実際に本発明を実施する場合の形状等は、以下に説明する本発明の特徴的な構成を備えるものであれば、細部については、図１、図２に示したような形状を含め適宜の設計事項である。
【００１８】
図３のうち、（ａ）は、図１などと同様に前面側から見た斜視図であり、（ｂ）は背面側から見た斜視図である。これらの図に示すように、本例の前面化粧パネル０３２０は、開口部０３２１のほか、前面部材０３２２と、これに略直角に接する四面、即ち、上面、左側面、右側面及び下面をぞれぞれ有する四個の枠部材０３２３〜０３２６を備えるとともに、下面を除く三面の枠部材０３２３〜０３２５が連続した一の凸レール０３２７を有する（アングルの関係でぞれぞれの図に一部現れていないものがある）。この凸レールは、前面化粧パネルを前面キャビネットの有する凹レールにすべり込ませて噛み合わせるためのものである。本図の例は、前面化粧パネルを前面キャビネットの上から下方向にすべり込ませることを想定した例である。具体的には、前面化粧パネルの両側面の枠部材０３２４、０３２５に備えられた凸レールを後述する前面キャビネットの両側面の凹レールに噛み合わせてすべり込ませることによって、前面化粧パネルを前面キャビネットに取り付けるようになっている。なお、ここではそれぞれを枠部材と称している（前面部材を加えると五個の部材があることになる）が、これは必ずしも別部材を組み合わせたものという意味ではなく、前面化粧パネル全体が一体に成形されていてもよい（組立て、分解の容易性に照らせば後者が好適である）。
【００１９】
図４は、図３（ａ）のＸ‐Ｘ水平部分断面図であり、Ａ方向に見た図である。本図では、左側（実際には前面側）に前面部材０４２２、開口部０４２１が現れ、下側（実際には左側面側）に左側面枠部材０４２４が現れるとともに、右側（実際には背面側）に凸レール０４２７が現れている。なお、右側面側の断面はこれと対称に現れるため図示を省略した。
【００２０】
また、図５は、図３（ａ）のＹ‐Ｙ垂直断面図であり、Ｂ方向に見た図である。本図では、上側に上面枠部材０５２３、左側（実際には前面側）に前面部材０５２２、右側（実際には背面側）に凸レール０５２７、下側に下面枠部材０５２６が現れている。
【００２１】
ところで、本図の例では、両側面の枠部材の凸レールは、下端まで達しておらず、中央部よりやや下付近で終了しているが、このような構成は、前面化粧パネルが本図の例のように下面の枠部材を有する場合には、前面キャビネットに上から下方向にすべり込ませて噛み合わせるためには必須の構成である。この構成の詳細については前面キャビネットと前面キャビネットの噛み合わせに係る構成についての説明の中で述べるが、一言で言えば、前面化粧パネルの下面の枠部材が前面キャビネットを回避できるよう前面化粧パネルの下の方を前面側に撓ませながらすべり込むようにした場合に、前面化粧パネルの凸レールを撓まない部分だけに設ける必要があるためである。このため、かかる構成の場合には、前面化粧パネルは撓ませることが可能な柔軟性を有する材料からなることが必須となる。
【００２２】
なお、以上のような構成は前面化粧パネルの下面に枠部材が備えられている場合に必要となるものであるが、前面化粧パネルは、既述のように薄型表示装置の外観の美観を良くしたり、高級感を持たせたりするために取り付けられるものであるから、当然外部に現れる面である下面側にも取り付けられていることが望ましく、実用的には専らかかる構成のものが想定される。従って、前面化粧パネルが撓ませることが可能な柔軟性を有する材料からなることも、これに伴い、実用的にはほぼ必須の構成であるということになる。
【００２３】
また、本図の例では、上面の枠部材の凸レールは全長に亘っているが、このことは必須ではなく、一部（例えば両端と中央付近のみ）に断続的に設けられているだけでもよい。同様に両側面の枠部材の凸レールも一部に断続的に設けられていてもよい。ただし、前面化粧パネルを前面キャビネットに安定的に取り付けるためには、本図の例のように、下面を除く三面の枠部材が連続した一の凸レールを有する（従って上面の枠部材の凸レールは全長に亘る）ことが望ましい。
【００２４】
また、前面部材も理論上はなくてもよい（枠部材だけからなる前面化粧パネルであってよい）が、前面化粧パネルの目的に照らせば、主正面である前面こそ最も美観に配意すべきものであることから、やはり実用的にはほぼ必須であるといえる。また、本発明の薄型表示装置の場合、後述のように、前面キャビネットに凹レールが設けられ、これが内部に張り出した部分が存在することから、前面化粧パネルを前面キャビネットに取り付けたときにこの張り出し部分が外部から見えないようにするためには、（前面キャビネットに前面部材があるかないかに関係なく）前面化粧パネルが前面部材を有していることがほぼ必須である。
【００２５】
なお、以上の例は、前面化粧パネルを、前面キャビネットに対して上から下方向にすべり込ませて噛み合わせる場合のものであるが、前面化粧パネルをすべり込ませる方向には限定はなく、左から右方向、右から左方向、下から上方向のいずれでもよい。そこで、上に述べた例の構成をより一般化して言えば、前面化粧パネルが有する凸レールは、対向する少なくとも一対の枠部材、具体的には前面化粧パネルが移動する方向に平行な面を有する枠部材（例えば、前面化粧パネルが上下に移動する場合には、上下に平行な面を持つ両側面の枠部材、左右に移動する場合には、左右に平行な面をもつ上下両面の枠部材）に備えられるとともに、移動元方向に面した枠部材（例えば上から下方向に移動する場合は上面の枠部材、左から右方向に移動する場合は左側面の枠部材）にも備えられている構成（好適にはこの凸レールは連続した一の凸レールである構成）ということになる。
【００２６】
（前面キャビネット：具体的構成）
次に、前面キャビネットの具体的構成の一例について述べる。
図６は、前面キャビネットの具体的構成の一例を示す。本図の前面キャビネットも図１、図２に示したものと同様のものを想定したが、図１、図２では省略した凸レールを本図では図示した。このうち、（ａ）は、図１などと同様に前面側から見た斜視図であり、（ｂ）は背面側から見た斜視図である。
【００２７】
図６（ａ）、（ｂ）に示すように、本例の前面キャビネット０６１０は、開口部０６１１のほか、前面部材０６１２と、これに略直角に接する四面、即ち、上面、左側面、右側面及び下面をぞれぞれ有する四個の枠部材０６１３〜０６１６を備えるとともに、下面を除く三面の枠部材０６１３〜０６１５が連続した一の凹レール０６１７を有する（アングルの関係でぞれぞれの図に一部現れていないものがある）。この凹レールは、既述のように、前面化粧パネルの凸レールをすべり込ませて噛み合わせるためのものである。本図の例は、図３で示した前面化粧パネルの例に対応して、前面化粧パネルを前面キャビネットの上から下方向にすべり込ませることを想定した例である。なお、ここでの部材の意味も、前面化粧パネルの部材について述べたところと同様である。
【００２８】
図７は、図６（ａ）のＸ‐Ｘ水平部分断面図であり、Ａ方向に見た図である。本図では、左側に前面部材０７１２、開口部０７１１が現れ、下側に左側面の枠部材０７１４と凹レール０７１７が現れている。なお、右側面側の断面はこれと対称に現れるため図示を省略した。
【００２９】
本図の例でも、両側面の枠部材の凹レールは、下端まで達しておらず、中央部よりやや下付近で終了しているが、これは、前面化粧パネルの凸レールの構成に対応したものである。このように、凹レールを設ける位置は、基本的に最終的に位置決めがなされた際の凸レールの位置に対応したものとなる。ただし、両者の形状の特徴に照らせば、両者の位置が完全に一致する必要はない。即ち、凸レールが設けられる位置に対応する位置には必ず凹レールが設けられている必要があるものの、逆は必須ではない。例えば、凸レールが前面化粧パネルの上面の枠部材の全長に亘って設けられている場合には、凹レールも前面キャビネットの上面の枠部材の全長に亘って設けられる必要があるが、凸レールが前面化粧パネルの上面の一部に設けられている場合には、凹レールは、前面キャビネットの上面の全長に亘って設けられていてもよいし、凸レールに対応する部分だけに設けられていてもよい。ただし、前面キャビネットの両側面の枠部材の凹レールは、ここに前面化粧パネルの凸レールをすべり込ませていくことになるので、凸レールが連続的に設けられているか断続的に設けられているかにかかわらず、連続した一のレールであることが必須である。
【００３０】
ただし、前面化粧パネルを前面キャビネットに安定的に取り付けるためには、本図の例のように、前面キャビネットの凹レールの位置は、前面化粧パネルの最終的な位置決めがなされた際の凸レールの位置に完全に対応したものであることが望ましく、さらに言えば既述のような前面化粧パネルの凸レールの好適な位置例に対応して、下面を除く三面の枠部材が連続した一の凹レールを有する（従って上面の枠部材の凹レールは全長に亘る）ことが望ましい。
【００３１】
なお、以上の例は、前面化粧パネルを前面キャビネットに対して上から下方向にすべり込ませて噛み合わせる場合についてのものであるが、既述のように、前面化粧パネルをすべり込ませる方向には限定はないことから、この移動方向に応じて、凹レールを設ける位置についても、前面化粧パネルについて述べたところと同様に様々なバリエーションが考えられる。
【００３２】
また、図８は、図６（ａ）のＹ‐Ｙ垂直断面図であり、Ｂ方向に見た図である。本図では、上側に上面枠部材０８１３、左側（実際には前面側）に前面部材０８１２、その右側（実際にはその背面側）に凹レール０８１７、下側に下面枠部材０８１６が現れている。
【００３３】
（前面キャビネットと前面化粧パネルの噛み合わせに係る構成）
そこで、以上に説明した前面キャビネット、前面化粧パネルの具体的構成の一例に即して、両者の噛み合わせに係る構成の一例について説明する。
図９、図１０は、前面化粧パネルを前面キャビネットにすべり込ませて噛み合わせる要領の一例を示す。
【００３４】
図９は、前面化粧パネル及び前面キャビネットを前面側から見たものである。まず、（ａ）は、前面化粧パネル０９２０の凸レール（図には現れない）を前面キャビネット０９１０の凹レール０９１７に噛み合わせてすべり込ませる動作を開始するために、凸レールの下端を凹レールの上端に当てがった状態を示す。本図の例では、前面化粧パネルが下面に枠部材０９２６を有するため、この噛み合わせの開始のために下面の枠部材をいったん前方側に退避させる必要があることから、両側面の枠部材（左側面枠部材０９２４及び図には現れない右側面枠部材）の下の方の部分、具体的には凸レール（図には現れない）が備えられていない部分を前面側（矢印Ｃ方向）に撓ませた状態が示されている。
【００３５】
そこで、この状態から前面化粧パネルの凸レールを前面キャビネットの凹レールに沿って噛み合わせながらすべり込ませていくことで、前面化粧パネルが次第に下方向に移動していき、前面キャビネットと噛み合って行く。
図９（ｂ）は、このような動作により、前面化粧パネルの凸レールの下端が前面キャビネットの両側面の枠部材の中央付近まで移動した状態を示す。
【００３６】
そして、図９（ｃ）に示すように、前面化粧パネルの凸レールの上端が前面キャビネットの凹レールの上端と噛み合う位置まで前面化粧パネルがすべり込まされたところで、前面化粧パネルの凸レールと前面キャビネットの凹レールが完全に噛み合った状態となる。これが、前面化粧パネルと前面キャビネットの噛み合わせによる位置決めがなされた状態である。
【００３７】
さらに、この状態で、図９（ｄ）に示すように、前面化粧パネルの側面の枠部材の前面側に撓ませていた部分を元の撓ませない状態（真っ直ぐな状態）に復帰させてやれば、前面化粧パネルの下面の枠部材が前面キャビネットの下面の枠部材に覆いかぶさる形で、前面化粧パネルが前面キャビネットに完全に取り付けられた状態となる。この復帰動作は、前面化粧パネルを柔軟性を有する材料からなるものとすることで、撓ませるために前面方向に加えられていた力（例えば手で前面側に引っ張っていた力）を解除するだけで、前面化粧パネルが持つ付勢力により、前面化粧パネルが前面キャビネットに対して押し付けられる状態になるため、両面粘着テープやネジ等を用いることなく、前面化粧パネルを前面キャビネットに安定的に係止させることができる。
図１０は、図９に対応するそれぞれの状態を背面側から見た状態を示したものである。
【００３８】
図１１は、図９（ａ）のＹ‐Ｙ垂直部分断面図であり、Ｂ方向に見た図である。本図では、前面化粧パネル（右上がり斜線で示す）の凸レール１１２７の下端が前面キャビネット（左上がり斜線で示す）の凹レール１１１７の上端にあてがわれた状態が示されている。また、この噛み合わせの開始のために、前面化粧パネルの両側面の枠部材（図には現れない）のうち凸レールが備えられていない部分が前面側（本図では左方向）に撓ませた状態となっており、これにより、前面化粧パネルの下面枠部材１１２６が前面キャビネット（左上がり斜線で示す）から退避した状態が示されている。
【００３９】
図１２は、図９（ｄ）のＸ‐Ｘ水平部分断面図である。本図は、図４の前面化粧パネル（右上がり斜線で示す）と図７の前面キャビネット（左上がり斜線で示す）とが噛み合わされた状態を示している。
【００４０】
さらに、図１３は、図９（ｄ）のＹ‐Ｙ垂直断面図である。このように、前面化粧パネルと前面キャビネットの噛み合わせが完了した状態では、前面化粧パネル（右上がり斜線で示す）の凸レール１３２７が前面キャビネット（左上がり斜線で示す）の凹レール１３１７に完全に噛み合った状態となる。
【００４１】
この状態では、前面化粧パネルの下面枠部材１３２６が前面キャビネットの下面枠部材１３１６より下側にくる。そこで、前面化粧パネルの側面の枠部材の前面側に撓ませていた部分を元の撓ませない状態（真っ直ぐな状態）に復帰させてやれば、前面化粧パネルの下面の枠部材が前面キャビネットの下面の枠部材に覆いかぶさる形で、前面化粧パネルが前面キャビネットに完全に取り付けられた状態となる。この復帰動作は、前面化粧パネルを柔軟性を有する材料からなるものとすることで、撓ませるために前面方向に加えられていた力（例えば手で前面側に引っ張っていた力）を解除するだけで、前面化粧パネルが持つ付勢力により、前面化粧パネルが前面キャビネットに対して押し付けられる状態になるため、両面粘着テープやネジ等を用いることなく、前面化粧パネルを前面キャビネットに安定的に係止させることができる。本図では、かかる動作により、前面化粧パネルが前面キャビネットに覆いかぶさる形で完全に取り付けられた状態が示されている。
【００４２】
（他の構成例）
以上では、前面化粧パネルが凸レール、前面キャビネットが凹レールを備える構成例で説明した。しかし、本発明の薄型表示装置は、かかる構成のものに限られず、上とは逆に前面化粧パネルが凹レールを、前面キャビネットが凸レールを備えたものであってもよい。この場合の具体的構成は、上で前面化粧パネルが凸レール、前面キャビネットが凹レールを備える例について説明したところとパラレルであるから、説明を省略する。
【００４３】
<効果>
本実施例の発明により、液晶テレビなどの薄型表示装置の前面キャビネットに前面化粧パネルを取り付ける際に、両面粘着テープやプレス冶具などを用いた煩雑な作業を回避するとともに、サービス時やリサイクルのための分解・解体も容易に行うことができる薄型表示装置を提供することが可能となる。
【図面の簡単な説明】
【００４４】
【図１】実施例１の薄型表示装置の外観の一例を示す図
【図２】図１の薄型表示装置から前面化粧パネル、前面キャビネットを分離した状態の外観の一例を示す図
【図３】前面化粧パネルの具体的構成の一例を示す図
【図４】図３（ａ）のＸ‐Ｘ水平部分断面図
【図５】図３（ａ）のＹ‐Ｙ垂直断面図
【図６】前面キャビネットの具体的構成の一例を示す図
【図７】図６（ａ）のＸ‐Ｘ水平部分断面図
【図８】図６（ａ）のＹ‐Ｙ垂直断面図
【図９】前面化粧パネルを前面キャビネットにすべり込ませて噛み合わせる要領の一例を示す図
【図１０】前面化粧パネルを前面キャビネットにすべり込ませて噛み合わせる要領の一例を示す図
【図１１】図９（ａ）のＹ‐Ｙ垂直部分断面図
【図１２】図９（ｄ）のＸ‐Ｘ水平部分断面図
【図１３】図９（ｄ）のＹ‐Ｙ垂直断面図
【符号の説明】
【００４５】
０３２０      前面化粧パネル
０３２１      開口部（前面化粧パネル）
０３２２      前面部材（前面化粧パネル）
０３２３      上面枠部材（前面化粧パネル）
０３２４      左側面枠部材（前面化粧パネル）
０３２５      右側面枠部材（前面化粧パネル）
０３２６      下面枠部材（前面化粧パネル）
０３２７      凸レール
０６１０      前面キャビネット
０６１１      開口部（前面キャビネット）
０６１２      前面部材（前面キャビネット）
０６１３      上面枠部材（前面キャビネット）
０６１４      左側面枠部材（前面キャビネット）
０６１５      右側面枠部材（前面キャビネット）
０６１６      下面枠部材（前面キャビネット）
０６１７      凹レール
０９１０      前面キャビネット
０９１７      凹レール
０９２０      前面化粧パネル
０９２４      左側面枠部材（前面化粧パネル）
１０２７      凸レール
【図１】
2008300975.tif 000003
【図２】
2008300975.tif 000004
【図３】
2008300975.tif 000005
【図４】
2008300975.tif 000006
【図５】
2008300975.tif 000007
【図６】
2008300975.tif 000008
【図７】
2008300975.tif 000009
【図８】
2008300975.tif 000010
【図９】
2008300975.tif 000011
【図１０】
2008300975.tif 000012
【図１１】
2008300975.tif 000013
【図１２】
2008300975.tif 000014
【図１３】
2008300975.tif 000015